(57)【特許請求の範囲】
【請求項１】
床面の中央部に設けられて上記床面から直方形状に下方に凹設された光源室を有するかご床、上記光源室に設けられた光源体と、柱状をなし上記光源室の底面から立設されて上記光源室の四隅にそれぞれ配置された支持体と、上面が上記床面位置に配置されて上記光源室に嵌合状態に装備された透光板と、上記光源室の内壁と上記透光板の外端面の間に介装された粘弾性材製の緩衝材と、ピン状をなし上端部が上記透光板に固定されて上記支持体位置のそれぞれに対応して設けられ下端が上記支持体の上端面によって水平方向に変位自在に支持された支持子とを備えたエレベーターかごの脚光照明装置。
【請求項２】
透光板を、光源室の開口部を分割して配置された複数枚からなるものとし、また緩衝材を、上記光源室の内壁と上記透光板の外端面の間及び上記透光板の外端面の相互間に介装されたものとしたことを特徴とする請求項１記載のエレベーターかごの脚光照明装置。
【請求項３】
床面位置よりも下方に配置された透光板の上面を一枚によって覆い、光源室の開口部に嵌合状態に設けられて上面が上記床面位置に配置された透光合成樹脂板を備えたことを特徴とする請求項１及び請求項２のいずれか一つに記載のエレベーターかごの脚光照明装置。
【請求項４】
床面位置よりも下方に配置された透光板の上面を一枚によって覆い、光源室の開口部に嵌合状態に設けられ滑り止め手段が加工された上面が上記床面位置に配置された透光合成樹脂板を備えたことを特徴とする請求項１〜請求項３のいずれか一つに記載のエレベーターかごの脚光照明装置。
【請求項５】
透光合成樹脂板を、下面が加工されて互いに平行に配置された多数の突条によって形成された空気抜き手段を有するものとしたことを特徴とする請求項３及び請求項４のいずれか一つに記載のエレベーターかごの脚光照明装置。
【発明の詳細な説明】
【０００１】
【発明の属する技術分野】
この発明は、かごの床に設けられてかご内を照明するエレベーターかごの脚光照明装置に関する。
【０００２】
【従来の技術】
図８は、例えば特開平６−１００２７４号公報に示された従来のエレベーターかごの脚光照明装置を示す図であり、エレベーターかごの縦断側面図である。図において、１はエレベーターのかごで、かご床２、かご床２から立設された壁３、壁３の上端に設けられた天井４及び前側の壁３に設けられた出入口５によって構成されている。
【０００３】
６はかご床２の床面７の中央部に設けられて床面７から直方形状に下方に凹設された光源室、８は光源室６に設けられた蛍光灯等の光源体、９は光源室６の開口部を覆って設けられた強化ガラス板からなる透光板で、光源室６の上縁部に形成されて外側に広がった段部１０に周縁部が支持され、上面が床面７位置に配置されている。そして、光源室６、光源体８及び透光板９を主要部材として脚光照明装置１１が形成される。
【０００４】
従来のエレベーターかごの脚光照明装置は上記のように構成され、かご床２の床面７に脚光照明装置１１が設けられ、かご１に入った乗客は脚光照明装置１１の透光板９に乗り、脚光照明装置１１によって足もとから照らされる。これによって、かご１内に脚光照明特有の雰囲気を演出するようになっている。
【０００５】
【発明が解決しようとする課題】
上記のような従来のエレベーターかごの脚光照明装置では、透光板９の周縁部が光源室６の段部１０に支持される。このため、かご床２の床面７に対する光源室６の有効開口面積が制約されて狭くなる。また、透光板９の周縁部には段部１０のために光源体８の光が届かず暗くなるので、見栄えが悪くなるという問題点があった。
【０００６】
この発明は、かかる問題点を解消するためになされたものであり、かご床の床面に十分広く形成でき、透光板の周縁部まで照明されるエレベーターかごの脚光照明装置を得ることを目的とする。
【０００７】
【課題を解決するための手段】
この発明に係るエレベーターかごの脚光照明装置においては、床面の中央部に設けられて床面から直方形状に下方に凹設された光源室を有するかご床、光源室に設けられた光源体と、柱状をなし光源室の底面から立設されて光源室の四隅にそれぞれ配置された支持体と、上面が床面位置に配置されて光源室に嵌合状態に装備された透光板と、光源室の内壁と透光板の外端面の間に介装された粘弾性材製の緩衝材と、ピン状をなし上端部が透光板に固定されて支持体位置のそれぞれに対応して設けられ下端が支持体の上端面によって水平方向に変位自在に支持された支持子とが設けられる。
【０００８】
また、この発明に係るエレベーターかごの脚光照明装置においては、光源室の開口部を分割して配置された複数枚からなる透光板が設けられ、また光源室の内壁と透光板の外端面の間及び透光板の外端面の相互間に介装された緩衝材が設けられる。
【０００９】
また、この発明に係るエレベーターかごの脚光照明装置においては、床面位置よりも下方に配置された透光板の上面を一枚によって覆い、光源室の開口部に嵌合状態に設けられ上面が床面位置に配置された透光合成樹脂板が設けられる。
【００１０】
また、この発明に係るエレベーターかごの脚光照明装置においては、床面位置よりも下方に配置された透光板の上面を一枚によって覆い、光源室の開口部に嵌合状態に設けられ滑り止め手段が加工された上面が床面位置に配置された透光合成樹脂板が設けられる。
【００１１】
また、この発明に係るエレベーターかごの脚光照明装置においては、下面が加工されて互いに平行に配置された多数の突条によって形成された空気抜き手段を有する透光合成樹脂板が設けられる。
【００１２】
【発明の実施の形態】
実施の形態１．
図１〜図３は、この発明の実施の形態の一例を示す図で、図１はエレベーターかごの縦断側面図、図２は図１のかご床の拡大図、図３は図２の縮小平面図である。図において、１はエレベーターのかごで、かご床２、かご床２から立設された壁３、壁３の上端に設けられた天井４及び前側の壁３に設けられた出入口５によって構成されている。
【００１３】
６はかご床２の床面７の中央部に設けられて床面７から直方形状に下方に凹設された光源室、８は光源室６に設けられた蛍光灯等の光源体、１２は支持体で、柱状をなし光源室６の底面から立設されて光源室６の四隅にそれぞれ配置されている。１３は強化ガラス板からなる透光板で、上面が床面７位置に配置されて光源室６の開口部に嵌合状態に設けられている。
【００１４】
１４は光源室６の内壁と透光板１３の外端面の間に介装されたゴム等の粘弾性材製の緩衝材、１５は支持子で、ピン状をなし上端部が透光板１３に固定されて支持体１２位置のそれぞれに対応して設けられ、下端が支持体１２の上端面によって水平方向に変位自在に支持されている。そして、光源室６、光源体８及び透光板１３を主要部材として脚光照明装置１６が形成される。
【００１５】
上記のように構成されたエレベーターかごの脚光照明装置において、かご床２の床面７に脚光照明装置１６が設けられ、かご１に入った乗客は脚光照明装置１６の透光板１３に乗り、脚光照明装置１６によって足もとから照らされる。これによって、かご１内に脚光照明特有の雰囲気が演出される。そして、透光板１３は光源室６の開口部に嵌合状態に配置され、平面における四隅がそれぞれ支持子１５を介して支持体１２によって支持される。
【００１６】
また、支持子１５は支持体１２によって水平方向に変位自在に支持され、また透光板１３の外端面は緩衝材１４を介して光源室６の内壁に対向して装備されている。このため、エレベーターの乗客が透光板１３の上に乗り込んだときに、透光板１３が微小変位することができて、乗客の荷重による応力の集中を防ぐことができる。
【００１７】
また、透光板１３の微小変位時に緩衝材１４が弾性変形するので、光源室６の内壁と透光板１３との間に空隙が生じることはない。このため、光源室６の内壁と透光板１３との間から塵埃が光源室６に入って、光源体８に付着して照度が低下する不具合を未然に防止することができ、また光源室６内の清掃の手数を少なくすることができる。
【００１８】
そして、上記のような構成のためにかご床２の床面７に対して光源室６の有効開口面積を十分広く設けることができる。また、透光板１３の周縁部まで光源体８の光が届いて暗くなることがなく、見栄えがよく大面積の脚光照明装置１６を設けることができる。これによって、かご１内に脚光照明装置１６による脚光照明特有の良好な雰囲気を演出することができる。
【００１９】
実施の形態２．
図４は、この発明の他の実施の形態の一例を示す図で、前述の図３相当図である。なお、図４の他は前述の図１〜図３の実施の形態と同様にエレベーターかごの脚光照明装置が構成されている。図において、図１〜図３と同符号は相当部分を示す。
【００２０】
１７はそれぞれ強化ガラス板からなる透光板で、四枚からなり光源室６の開口部を水平方向において四分割した状態に配置されると共に、上面が床面７位置に配置されて光源室６の開口部に嵌合状態に設けられている。１８は粘弾性材製の緩衝材で、光源室６の内壁と透光板１３の外端面の間及び透光板１３の外端面相互の間に介装されている。
【００２１】
上記のように構成されたエレベーターかごの脚光照明装置においても、透光板１７がそれぞれ光源室６の開口部に嵌合状態に配置され、平面における四隅がそれぞれ支持子１５を介して支持体１２によって支持される。また、支持子１５は支持体１２によって水平方向に変位自在に支持され、また透光板１７の外端面は、緩衝材１８を介して光源室６の内壁又は他の透光板１７の外端面に対向して装備される。
【００２２】
したがって、詳細な説明を省略するが図４の実施の形態においても図１〜図３の実施の形態と同様な作用が得られる。また、図４の実施の形態において万一、透光板１７の一枚が破損した場合に、脚光照明装置１６の面積の１／４の透光板１７を取り替えることで済む。
【００２３】
したがって、復旧費、復旧時間を節減できて保守費を低減できると共に、エレベーターの使用不能時間を短縮できて利用者の不便を軽減することができる。また、透光板１７一枚当たりの負担荷重が少なくなるので、透光板１７を薄くすることができ、かご１荷重が減少しエレベーターの駆動電動機容量を小さくすることができるのでエネルギーを節減でき、運転費を低減することができる。
【００２４】
実施の形態３．
図５も、この発明の他の実施の形態の一例を示す図で、前述の図２相当図である。なお、図５の他は前述の図１〜図３の実施の形態、図４の実施の形態と同様にエレベーターかごの脚光照明装置が構成されている。図において、図１〜図３、図４と同符号は相当部分を示す。
【００２５】
１７はそれぞれ強化ガラス板からなる透光板で、四枚からなり光源室６の開口部を四分割した状態に配置されると共に、上面が床面７位置よりも下降して配置されて光源室６の開口部に嵌合状態に設けられている。１９は透光合成樹脂板で、一枚によって四枚の透光板１７の上面を覆い、上面が床面７位置に設けられ光源室６の開口部に嵌合状態に配置されている。
【００２６】
上記のように構成されたエレベーターかごの脚光照明装置においても、透光板１７がそれぞれ光源室６の開口部に嵌合状態に配置され、平面における四隅がそれぞれ支持子１５を介して支持体１２によって支持される。また、支持子１５は支持体１２によって水平方向に変位自在に支持され、また透光板１７の外端面は、緩衝材１８を介して光源室６の内壁又は他の透光板１７の外端面に対向して装備される。
【００２７】
したがって、詳細な説明を省略するが図５の実施の形態においても図１〜図３の実施の形態及び図４の実施の形態と同様な作用が得られる。また、図５の実施の形態において、透光板１７が透光合成樹脂板１９によって被覆される。このため、強い衝撃の作用により、また鋭利な物品の落下による透光板１７の損壊を防ぐことができ、保守費を低減することができる。
【００２８】
実施の形態４．
図６も、この発明の他の実施の形態の一例を示す図で、前述の図５の要部相当図である。なお、図６の他は前述の図１〜図３の実施の形態、図５の実施の形態と同様にエレベーターかごの脚光照明装置が構成されている。図において、図１〜図３、図５と同符号は相当部分を示す。
【００２９】
２０は透光合成樹脂板で、透光板１７の上面を覆い、上面が床面７位置に設けられ光源室６の開口部に嵌合状態に設けられている。２１は滑り止め手段で、透光合成樹脂板２０の上面が加工されて、互いに平行に配置された多数の突条によって形成されている。
【００３０】
上記のように構成されたエレベーターかごの脚光照明装置においても、透光板１７が光源室６の開口部に嵌合状態に配置され、平面における四隅が支持子１５を介して支持体１２によって支持される。また、支持子１５は支持体１２によって水平方向に変位自在に支持され、また透光板１７の外端面は、緩衝材１８を介して光源室６の内壁に対向して装備される。
【００３１】
したがって、詳細な説明を省略するが図６の実施の形態においても図１〜図３の実施の形態と同様な作用が得られ、また図５の実施の形態に準じた作用が得られる。また、図６の実施の形態において、透光合成樹脂板２０の上面に滑り止め手段２１が設けられるので、かご１に乗り込んだ乗客がスリップする不具合を防ぐことができる。また、滑り止め手段２１が透光合成樹脂板２０に形成されるので、容易に加工でき製造費を低減することができる。
【００３２】
実施の形態５．
図７も、この発明の他の実施の形態の一例を示す図で、前述の図５の要部相当図である。なお、図７の他は前述の図１〜図３の実施の形態、図５の実施の形態と同様にエレベーターかごの脚光照明装置が構成されている。図において、図１〜図３、図５と同符号は相当部分を示す。
【００３３】
２２は透光合成樹脂板で、透光板１７の上面を覆い、上面が床面７位置に設けられ光源室６の開口部に嵌合状態に設けられている。２１は滑り止め手段で、透光合成樹脂板２２の上面が加工されて、互いに平行に配置された多数の突条によって形成されている。２３は空気抜き手段で、透光合成樹脂板２２の下面が加工されて、互いに平行に配置された多数の突条によって形成されている。
【００３４】
上記のように構成されたエレベーターかごの脚光照明装置においても、透光板１７が光源室６の開口部に嵌合状態に配置され、平面における四隅が支持子１５を介して支持体１２によって支持される。また、支持子１５は支持体１２によって水平方向に変位自在に支持され、また透光板１７の外端面は、緩衝材１８を介して光源室６の内壁に対向して装備される。さらに、透光合成樹脂板２２に滑り止め手段が設けられる。
【００３５】
したがって、詳細な説明を省略するが図７の実施の形態においても図１〜図３の実施の形態と同様な作用が得られ、また図６の実施の形態と同様な作用が得られる。また、図７の実施の形態において、透光合成樹脂板２２の下面に空気抜き手段２３が設けられるので、透光板１７と透光合成樹脂板２２との間に入った空気が容易に排出される。これによって、透光板１７と透光合成樹脂板２２の間の空気のために、透光板１７から透光合成樹脂板２２が浮き上がって見苦しくなる不具合を解消することができる。
【００３６】
【発明の効果】
この発明は以上説明したように、床面の中央部に設けられて床面から直方形状に下方に凹設された光源室を有するかご床、光源室に設けられた光源体と、柱状をなし光源室の底面から立設されて光源室の四隅にそれぞれ配置された支持体と、上面が床面位置に配置されて光源室に嵌合状態に装備された透光板と、光源室の内壁と透光板の外端面の間に介装された粘弾性材製の緩衝材と、ピン状をなし上端部が透光板に固定されて支持体位置のそれぞれに対応して設けられ下端が支持体の上端面によって水平方向に変位自在に支持された支持子とを設けたものである。
【００３７】
これによって、かごの透光板の上に乗客が乗り込んだときに、透光板がかご床に対して微小変位することができて、乗客の荷重による応力の集中を防ぐことができる。また透光板の微小変位時に緩衝材が弾性変形するので、光源室の内壁と透光板との間に空隙が生じることはない。そして、かご床の床面に対して光源室の有効開口面積を十分広く設けることができ、また透光板の周縁部まで光源体の光が届いて暗くなることがなく、見栄えがよく大面積の脚光照明装置を設けることができる。これにより、かご内に脚光照明装置による脚光照明特有の良好な雰囲気を実現する効果がある。
【００３８】
また、この発明は以上説明したように、光源室の開口部を分割して配置された複数枚からなる透光板を設け、また光源室の内壁と透光板の外端面の間及び透光板の外端面の相互間に介装された緩衝材を設けたものである。
【００３９】
これによって、万一、透光板の一枚が破損した場合に、脚光照明装置の面積の一部の透光板を取り替えることで済む。したがって、復旧費、復旧時間を節減できて保守費を低減できると共に、エレベーターの使用不能時間を短縮できて利用者の不便を軽減する効果がある。また、透光板一枚当たりの負担荷重が少なくなるので、透光板を薄くすることができ、かご荷重が減少してエレベーターの駆動電動機容量を小さくすることができてエネルギーを節減でき、運転費を低減する効果がある。
【００４０】
また、この発明は以上説明したように、床面位置よりも下方に配置された透光板の上面を一枚によって覆い、光源室の開口部に嵌合状態に設けられて上面が床面位置に配置された透光合成樹脂板を設けたものである。
【００４１】
このような構成によって、透光板の上面を覆って設けられた透光合成樹脂板によって、強い衝撃の作用により、また鋭利な物品の落下による透光板の損壊を防ぐことができ、保守費を低減する効果がある。
【００４２】
また、この発明は以上説明したように、床面位置よりも下方に配置された透光板の上面を一枚によって覆い、光源室の開口部に嵌合状態に設けられて、滑り止め手段が加工された上面が床面位置に配置された透光合成樹脂板を設けたものである。
【００４３】
このような構成によって、透光合成樹脂板の上面に滑り止め手段が設けられるので、かごの透光板の上に乗り込んだ乗客がスリップする不具合を防ぐ効果がある。また、滑り止め手段が透光合成樹脂板に形成されるので、容易に加工でき製造費を低減する効果がある。
【００４４】
また、この発明は以上説明したように、下面が加工されて互いに平行に配置された多数の突条によって形成された空気抜き手段を有する透光合成樹脂板が設けられる。
【００４５】
これによって、透光合成樹脂板の下面に空気抜き手段により、透光板と透光合成樹脂板との間に入った空気が容易に排出される。したがって、透光板と透光合成樹脂板の間の空気のために、透光板から透光合成樹脂板が浮き上がって見苦しくなる不具合を解消する効果がある。
【図面の簡単な説明】
【図１】  この発明の実施の形態１を示す図で、エレベーターかごの縦断側面図。
【図２】  図１のかご床の拡大図。
【図３】  図２の縮小平面図。
【図４】  この発明の実施の形態２を示す図で、前述の図３相当図。
【図５】  この発明の実施の形態３を示す図で、前述の図２相当図。
【図６】  この発明の実施の形態４を示す図で、前述の図５の要部相当図。
【図７】  この発明の実施の形態５を示す図で、前述の図５の要部相当図。
【図８】  従来のエレベーターかごの脚光照明装置を示す図で、エレベーターかごの縦断側面図。
【符号の説明】
２  かご床、  ６  光源室、  ７  床面、  ８  光源体、  １２  支持体、  １３  透光板、  １４  緩衝材、  １５  支持子、  １７  透光板、  １８  緩衝材、  １９  透光合成樹脂板、  ２０  透光合成樹脂板、  ２１  滑り止め手段、  ２２  透光合成樹脂板、  ２３  空気抜き手段。
【図１】
0004566415.tif 000002
【図２】
0004566415.tif 000003
【図３】
0004566415.tif 000004
【図４】
0004566415.tif 000005
【図５】
0004566415.tif 000006
【図６】
0004566415.tif 000007
【図７】
0004566415.tif 000008
【図８】
0004566415.tif 000009